(57)【要約】【課題】  設置場所等に応じ、床板をいずれの側に開くようにもできるベッドの提供。【解決手段】ヘッドボード４，フットボード３および一対のサイドボード１，２からなる方形枠状のベッドフレームａと、マットレスｃを乗載できるようにした床板１１を方形枠状の支持体１６上にリンク機構２０，２０′によって一側において開閉自在にして支持してなるとともに、その開閉する側を上記ベッドフレームａのいずれのサイドボード１，２の側に向けた状態でも該ベッドフレームａ内に取り外し自在に嵌合配置できる開閉床板体ｂとからなるベッド。【選択図】  図３
2005198839.tif 000002
【特許請求の範囲】
【請求項１】
(i)ヘッドボード，フットボードおよび一対のサイドボードからなる方形枠状のベッドフレームと、(ii)マットレスを乗載できるようにした床板を方形枠状の支持体上にリンク機構によって一側において開閉自在にして支持してなるとともに、その開閉する側を上記ベッドフレームのいずれのサイドボードの側に向けた状態でも該ベッドフレーム内に取り外し自在に嵌合配置できる開閉床板体とからなることを特徴とするベッド。
【請求項２】
上記開閉床板体は、上記支持体をベッドフレームの上記一対のサイドボードの対向する内面の支持杆に乗載した状態で、上記ベッドフレーム内に嵌合配置されるようにしてなることを特徴とする請求項１記載のベッド。
【請求項３】
上記開閉床板体の支持体が、係止手段により上記ベッドフレーム内に係止できるようにしてなることを特徴とする請求項２記載のベッド。
【請求項４】
上記係止手段が、２個の透孔を開設した係止板と、サイドボードの上記支持杆の対向する内面の所要位置に植設した係止用突起と、開閉床板体の上記支持体の内面であって上記係止用突起と対応することとなる位置に植設した係止用突起とからなることを特徴とする請求項３記載のベッド。
【請求項５】
上記床板を、床板枠に複数の幅細板を所要の間隔をおいて平行に取り付けてスノコ状にしてなることを特徴とする請求項１，２，３または４記載のベッド。
【請求項６】
上記幅細板は、弓状に湾曲させ一面を膨出させた可撓性を有するもので、その膨出面を上方に向けた状態にして上記床板枠に取り付けられていることを特徴とする請求項５記載のベッド。
【発明の詳細な説明】
【技術分野】
【０００１】
本発明は床板の下方に収納部を備えたベッドに関する。
【背景技術】
【０００２】
従来より、ヘッドボード，フットボードおよび一対のサイドボードからなるベッドフレームに、リンク機構により支持した床板を上記いずれか一方のサイドボードの側において開閉するようにし、その床板の下方の空間を収納部として利用できるようにしたベッドが知られている（たとえば、特許文献１参照）。
【０００３】
【特許文献１】特開2000-355346号公報
【発明の開示】
【発明が解決しようとする課題】
【０００４】
しかし、上記従来のもののように、床板をいずれか一方のサイドボード側においてのみ開閉するようにしたにすぎない場合、その一方のサイドボードを部屋の例えば壁側至近位置にさせて当該ベッドを設置すると、床板の開閉に支障をきたすことになる。
すなわち、床板の開閉を支障なく行い、収納部への物品の出し入れを容易に行い得るようにするには、上記一方のサイドボードが壁等から遠い側に位置する状態になるようにする必要があり、該ベッドの設置方向を制限されてしまう不都合があった。
【０００５】
そこで本発明は、設置場所等に応じ、床板をいずれの側に開くようにもできるベッドを提供することを目的とする。
【課題を解決するための手段】
【０００６】
請求項１記載の本発明ベッドは、(i)ヘッドボード４，フットボード３および一対のサイドボード１，２からなる方形枠状のベッドフレームａと、(ii)マットレスｃを乗載できるようにした床板１１を方形枠状の支持体１６上にリンク機構２０，２０′によって一側において開閉自在にして支持してなるとともに、その開閉する側を上記ベッドフレームａのいずれのサイドボード１，２の側に向けた状態でも該ベッドフレームａ内に取り外し自在に嵌合配置できる開閉床板体ｂとからなる。
【０００７】
請求項２記載の本発明は、上記開閉床板体ｂが、上記支持体１６をベッドフレームａの上記一対のサイドボード１，２の対向する内面の支持杆７，７に乗載した状態で、上記ベッドフレームａ内に嵌合配置されるようにしてなる請求項１記載のベッドである。
【０００８】
請求項３記載の本発明は、上記開閉床板体ｂの支持体１６が、係止手段により上記ベッドフレームａ内に係止できるようにしてなる請求項２記載のベッドである。
【０００９】
請求項４記載の本発明は、上記係止手段が、２個の透孔２１，２１を開設した係止板ｄと、サイドボード１，２の上記支持杆７，７の対向する内面の所要位置に植設した係止用突起９と、開閉床板体ｂの上記支持体１６の内面であって上記係止用突起９と対応することとなる位置に植設した係止用突起１７とからなる請求項３記載のベッドである。
【００１０】
請求項５記載の本発明は、床板１１を、床板枠１２に複数の幅細板１３を所要の間隔をおいて平行に取り付けてスノコ状にしてなる請求項１，２，３または４記載のベッドである。
【００１１】
請求項６記載の本発明は、上記幅細板１３が、弓状に湾曲させ一面を膨出させた可撓性を有するもので、その膨出面を上方に向けた状態にして上記床板枠１２に取り付けられている請求項５記載のベッドである。
【発明の効果】
【００１２】
本発明ベッドは、ヘッドボード，フットボードおよび一対のサイドボードからなる方形枠状のベッドフレームと、マットレスを乗載できるようにした床板を方形枠状の支持体上にリンク機構によって一側において開閉自在にして支持してなるとともに、その開閉する側を上記ベッドフレームのいずれのサイドボードの側に向けた状態でも該ベッドフレーム内に取り外し自在に嵌合配置できる開閉床板体とからなるので、設置場所等に応じ床板をいずれの側に開くようにもすることができる。
【発明を実施するための最良の形態】
【００１３】
以下、本発明の実施例につき説明するが、本発明はこれに限られるものではない。
【実施例】
【００１４】
ａは、所要長さの一対のサイドボード１，２の長手方向一端に該サイドボード１，２よりも短いフットボード３を、また他端に上記フットボード３と同じ長さのヘッドボード４を、金具５…によって連結して長方形枠状にしてなるベッドフレームである。
６…は、上記金具５…の下端に取り付けられた、上記ベッドフレームａを支持する脚である。
【００１５】
７，７は、上記サイドボード１，２の対向する内面に、長手方向全長にわたって取り付けられた支持杆である。
８…は、その支持杆７，７の対向する内面の所要位置に取り付けられた案内板で、上端部を該支持杆７，７の上辺縁より上方に突出させた状態にして取り付けられているものである。
９…は同じくその支持杆７，７の対向する内面の所要位置に植設された係止手段としての係止用突起で、その頭部９′を軸体９″の先端に大径にして形成しているものである（図５）。
１０，１０は、上記フットボード３およびヘッドボード４の対向する内面に、その全幅にわたって取り付けられている補強杆である。
【００１６】
１１は、長辺１２ａ，１２ａ′と短辺１２ｂ，１２ｂ′とからなる長方形枠状の床板枠１２に、弓状に湾曲させ一面を膨出させた複数の幅細板１３…を所要の間隔をおいて平行に、かつそれらの膨出面を上方に向けた状態にして取り付けてスノコ状にした床板である（図３）。
上記各幅細板１３…は所要の可撓性を有し、加えられた衝撃を吸収するようになっている。
【００１７】
１４，１４は、床板枠１２の上記長辺１２ａに取り付けられた取っ手である。
１５，１５は、同床板枠１２の上記長辺１２ａ′に取り付けられた門形のマットレスストッパである。
【００１８】
１６は、長辺１６ａ，１６ａ′と短辺１６ｂ，１６ｂ′とからなる、上記床板１１と同じ大きさの長方形枠状の支持体である（図３）。
その長辺１６ａ，１６ａ′の対向する内面には、上記ベッドフレームａのサイドボード１，２の上記係止用突起９…と対応することとなる位置に、それと同じく大径の頭部１７′を軸体１７″の先端に形成した係止手段としての係止用突起１７…を植設するとともに（図５）、上記短辺１６ｂ，１６ｂ′に取っ手１８，１８を取り付けている（図３）。
１９は、上記長辺１６ａに取り付けた、床板固定用ベルベットストッパーである。
【００１９】
ｂは、上記床板１１を上記支持体１６上に、リンク機構２０，２０′によって一側において開閉自在にして支持してなる開閉床板体である。
【００２０】
上記リンク機構２０，２０′は、上記支持体１６の短辺１６ｂ，１６ｂ′の上記長辺１６ａ′寄りの位置に固定された下側固定リンク２０ａ，２０ａ′と、上記床板枠１２の短辺１２ｂ，１２ｂ′の上記長辺１２ａ′寄りの位置に固定された上側固定リンク２０ｂ，２０ｂ′と、該上側固定リンク２０ｂ，２０ｂ′の一端に上端を回転自在に取り付けるとともに上記下側固定リンク２０ａ，２０ａ′の一端に下端を回転自在に取り付けた短リンク２０ｃ，２０ｃ′と、上記上側固定リンク２０ｂ，２０ｂ′の中間位置に上端を回転自在に取り付けるとともに上記下側固定リンク２０ａ，２０ａ′の他端に下端を回転自在に取り付けた長リンク２０ｄ，２０ｄ′と、該長リンク２０ｄ，２０ｄ′のほぼ中間位置に基端を回転自在に取り付けるとともに上記上側固定リンク２０ｂ，２０ｂ′の他端に先端を回転自在に取り付けた、伸長方向に所要の付勢力を有するダンパー２０ｅ，２０ｅ′とからなる（図７）。
なお、上記ダンパーとしては、伸張した状態でロックされるような機構を付設したものを用いてもよい。
【００２１】
上記リンク機構２０，２０′により、上記床板１１は、支持体１６の上面に乗載した閉じた状態（図１，２）とすることができ、また、上記取っ手１４，１４で引き上げられると、上記支持体１６に対して上記長辺１２ａ側を上昇回動させるとともに、上記長辺１２ａ′側を支持体１６の上記長辺１６ａの方向に移動させて（図７）、上記長辺１２ａの側において開いた状態（図３，６〜８）とすることができる。
【００２２】
なお、上記床板１１は、上記ダンパー２０ｅ，２０ｅ′によって開く方向に付勢されているので、これを開くのは小さな力で行うことができ、逆に一旦開いた床板１１はそのダンパー２０ｅ，２０ｅ′の付勢力に逆らって押し下げないと閉じないようになっている。
【００２３】
上記開閉床板体ｂはまた、上記ベッドフレームａ内に、上記支持体１６の長辺１６ａの側をベッドフレームａの上記サイドボード１，２のいずれの側に向けた状態でも、取り外し自在に嵌合配置できるようになっている（図６，８）。
【００２４】
ｃは上記開閉床板体ｂの床板１１に乗載されたマットレスである。
【００２５】
ｄ…は、方形のプラスチック板に、上記係止用突起９…，１７…の頭部９′，１７′よりもやや大径の２個の透孔２１，２１を開設した、係止手段としての係止板である。なお、この係止板ｄ…は金属製のものとしてもよい。
【００２６】
本発明ベッドは、上記ベッドフレーム内ａに上記開閉床板体ｂを嵌合配置するとともに、さらに、その開閉床板体ｂの床板１１上にマットレスｃを乗載することによって構成されるもので、それは、上記床板１１の下方に、上記ベッドフレームａに囲繞されかつ上記床板１１を開閉自在な蓋とする収納部ｅを備えたものになっている。
【００２７】
上記開閉床板体ｂのベッドフレームａ内への嵌合配置は、上記支持体１６の長辺１６ａの側すなわち上記床板１１が開閉する側を、該ベッドフレームａの上記サイドボード１，２のいずれの側に向けた状態でも行えるから、サイドボード１，２のうち一方を壁側至近位置にしてベッドフレームａを設置する場合には、上記支持体１６の長辺１６ａ′を壁側に向けて該ベッドフレームａに嵌合配置することにより、床板１１が壁から遠い側において開閉するようにできる。
これにより、床板１１の開閉を支障なく行い、収納部ｅへの物品の出し入れを容易に行い得る。
【００２８】
上記の嵌合配置の作業は、上記取っ手１８，１８を把持し、開閉床板体ｂの上記支持体１６の長辺１６ａ，１６ａ′を、上記案内板８…に案内させながら、上記サイドボード１，２の上記支持杆７，７に乗載することにより、容易に行うことができる（図４）。
また、ベッドフレームａ内に嵌合配置された開閉床板体ｂの支持体１６は、上記係止板ｄ…を、その透孔２１，２１に上記係止用突起９および１７の頭部９′，１７′を挿通させて、該係止用突起９…，１７…に遊嵌することにより、ベッドフレームａの支持杆７，７上に簡単かつ確実に係止できる（図４，５）。
【００２９】
上記収納部ｅに物品を出し入れする際には、上記取っ手１４，１４を引き上げることによって上記床板１１を、上記マットレスｃを乗載したまま開くことができる。
開いた床板１１は、その位置においてダンパー２０ｅ，２０ｅ′により所要の付勢力をもって支持されるので、マットレスｃの重みにより閉じてしまうようなことはない。
さらに、上記マットレスｃは、床板１１が開いて傾斜状態となったときには上記マットレスストッパ１５，１５により側面を支持されるので、床板１１からずり落ちるようなこともない。
【００３０】
なお、上記床板１１を閉じているときには、上記床板１１の長辺１２ａと支持体１６の長辺１６ａとに上記床板固定用ベルベットストッパー１９を巻回して固定できるようになっている（図示しない）。
【図面の簡単な説明】
【００３１】
【図１】本発明の一実施例に係るベッドの斜視図である。
【図２】図１のI-I線断面図である。
【図３】同ベッドの分解斜視図である。
【図４】(a)は、開閉床板体を支持杆に乗載する直前の状態を、(b)は、支持杆に乗載した開閉床板体を係止板により係止した状態を示した要部拡大斜視図である。
【図５】(a),(b)は同上の要部拡大断面図である。
【図６】床板をベッドフレームの一側において開いた状態を示した上記ベッドの斜視図である。
【図７】図６のII-II線断面図で、一部を省略して示したものである。
【図８】床板をベッドフレームの他側において開いた状態を示した上記ベッドの斜視図である。
【符号の説明】
【００３２】
ａ      ベッドフレーム
ｂ      開閉床板体
ｃ      マットレス
ｄ      係止板
１，２  サイドボード
３      フットボード
４      ヘッドボード
７      支持杆
９，１７  係止用突起
１１    床板
１２    床板枠
１３    幅細板
１６    支持体
２０，２０′  リンク機構
【図１】
2005198839.tif 000003
【図２】
2005198839.tif 000004
【図３】
2005198839.tif 000005
【図４】
2005198839.tif 000006
【図５】
2005198839.tif 000007
【図６】
2005198839.tif 000008
【図７】
2005198839.tif 000009
【図８】
2005198839.tif 000010